(57)【要約】【課題】移動体操作時の各瞬間において太陽光の眩しさを防止しつつ、常に良好な視界を確保し得る新規なサンバイザーを提供する。【解決手段】略長方形状の板状体（１）を中央が高く左右に向かって階段状に低くなるように内外に区画して内側区画（９）と外側区画（１１）とを形成し、外側区画が内側区画よりも高い遮光率を有することを特徴とするサンバイザー。前記内側区画と前記外側区画とのいずれにおいても、上部が下部よりも高い遮光率を有する。前記内側区画の中央の高部（７）における左右方向の寸法（ｂ）は操作者の両目の中心間距離（ａ）よりも小さいものとする。【選択図】図１
2005096665.tif 000002
【特許請求の範囲】
【請求項１】
略長方形状の板状体を中央が高く左右に向かって階段状に低くなるように内外に区画して内側区画と外側区画とを形成し、外側区画が内側区画よりも高い遮光率を有することを特徴とするサンバイザー。
【請求項２】
前記内側区画と前記外側区画とのいずれにおいても、上部が下部よりも高い遮光率を有することを特徴とする請求項１記載のサンバイザー。
【請求項３】
前記内側区画の中央の高部における左右方向の寸法は操作者の両目の中心間距離よりも小さいことを特徴とする請求項２記載のサンバイザー。
【請求項４】
前記板状体は上下方向と前後方向とに位置調節自在であり、更に該板状体の上方に遮光手段を設けたことを特徴とする請求項１〜３のいずれかに記載のサンバイザー。
【請求項５】
前記板状体は前後方向に傾動自在であり、該板状体の上方に反射防止手段を配設したことを特徴とする請求項１〜４のいずれかに記載のサンバイザー。
【発明の詳細な説明】
【技術分野】
【０００１】
本発明は、サンバイザーに関するものであり、特に、移動体における操作席の近傍に日除け用に取り付けられるサンバイザーに係るものである。
【０００２】
「移動体」とは、操作者が乗り込む自動車、クレーン等の作業車輌、電車、船、飛行機等の移動用又は作業用の手段をいうものとする。
【０００３】
「操作席」とは、移動体の操作者が使用する運転席、操縦席、操舵席、作業席等の席をいうものとする。
【０００４】
「操作者」とは、移動体を操作する者をいうものとする。
【背景技術】
【０００５】
太陽光が移動体の操作者の目に入ると、眩しくて前方を視認することが困難になり、極めて危険である。そこで、移動体の操作席におけるフロントガラス（ウインドシールド）の上方には一般にサンバイザーが取り付けられている。このサンバイザーは、太陽光を遮断する不透明な日除け板をフロントガラスの上方に上下方向に回動自在に取り付けてなるものである。
【０００６】
しかるに、上記従来のサンバイザーにおける日除け板は不透明板であり、太陽光を充分に遮断し得るものであるが、該日除け板を通して前方を視認することができない。従って、該日除け板はこれを下方に回動させたときにフロントガラスの上部のみを覆うものでなければならない。
【０００７】
その結果、特に朝夕の如く太陽の位置が低いときには、太陽光は日除け板の下方から操作者の目に入ることになる。従って、操作者は太陽光が眩しくて前方を視認することが困難になり、大きな危険を伴うことになる。
【０００８】
この問題を解決するために、実用新案登録第３０８７６８２号公報は、太陽光を遮断する日除け板をフロントガラスの上方に上下方向に回動自在に取り付けてなる車輌用サンバイザーにおいて、該日除け板の下縁には太陽光の眩しさを防止すると共に前方を透視し得る半透明板の上縁を該半透明板が上下方向に回動自在になるように枢着し、更に該半透明板を上方に回動した状態で該日除け板にロックするロック手段を備えさせたことを特徴とする車輌用サンバイザーを提供している。
【０００９】
【特許文献１】実用新案登録第３０８７６８２号公報
【発明の開示】
【発明が解決しようとする課題】
【００１０】
しかしながら、実用新案登録第３０８７６８２号公報に示すサンバイザーにおいては、日除け板の下縁に枢着された半透明板の遮光率がその全面にわたって同一であるため、車輌運転時の各瞬間においては、太陽光の眩しさを防止するためには半透明板の一部についてのみ遮光率を高くすれば足りるにも拘らず、常に半透明板の全面について遮光率を高していることになる。換言すれば、車輌運転時の各瞬間においては、半透明板における不必要な部分についてまで遮光され、前方の視界が妨げられることになる。その結果、車輌の運転中に交通信号、歩行者、他の車輌等の視認が妨げられ若しくは遅れるという重大な危険が生ずるおそれがある。
【００１１】
このような状況に鑑み、本発明は、移動体操作時の各瞬間において太陽光の眩しさを防止しつつ、常に良好な視界を確保し得る新規なサンバイザーを提供しようとしてなされたものである。
【課題を解決するための手段】
【００１２】
上記課題を解決するために、本発明は下記のサンバイザーを提供するものである。
【００１３】
（１）略長方形状の板状体を中央が高く左右に向かって階段状に低くなるように内外に区画して内側区画と外側区画とを形成し、外側区画が内側区画よりも高い遮光率を有することを特徴とするサンバイザー（請求項１）。
【００１４】
（２）前記内側区画と前記外側区画とのいずれにおいても、上部が下部よりも高い遮光率を有する（請求項２）。
【００１５】
（３）前記内側区画の中央の高部における左右方向の寸法は操作者の両目の中心間距離よりも小さいものとする（請求項３）。
【００１６】
（４）前記板状体は上下方向と前後方向とに位置調節自在であり、更に該板状体の上方に遮光手段を設ける（請求項４）。
【００１７】
（５）前記板状体は前後方向に傾動自在であり、該板状体の上方に反射防止手段を配設する（請求項５）。
【発明の効果】
【００１８】
［請求項１の発明］
移動体の操作時には、操作者から見た太陽の位置は、移動体の動きに伴い、左右方向と上下方向とに刻々と変化する。この場合、操作者から見た太陽が高い遮光率を有する外側区画内に隠れるように操作者が姿勢を変えたときには、操作者は、太陽光による眩しさを感ずることなく、遮光率の低い内側区画を介して前方を視認することができる。
【００１９】
遮光率の高い外側区画と遮光率の低い内側区画とは、略長方形状の板状体を中央が高く左右に向かって階段状に低くなるように内外に区画することにより形成されているため、操作者から見た太陽が高い遮光率を有する外側区画内に隠れるように操作者が姿勢を変える動作が容易になると共に、遮光率の低い内側区画を介して十分な前方視認が確保される。即ち、操作者は、太陽が外側区画内における内側区画近傍の段部に隠れるような姿勢を取ればよいのであるが（図２の鎖線参照）、該段部は左右方向の線と上下方向の線とにより略直角に形成されているため、操作者が太陽を該段部内に隠すような姿勢をとることは容易である。操作者から見た太陽が外側区画内における内側区画近傍の段部に隠れるようにするためには、操作者は、その目の位置を例えば上方又は右方若しくは左方に変えるように上半身を若干動かせばよい。
【００２０】
［請求項２の発明］
前記内側区画と前記外側区画とのいずれにおいても、上部が下部よりも高い遮光率を有するようにしたため、太陽光の眩しさは高い遮光率を有する上部により効果的に防止され、視界は低い遮光率を有する下部により十分に確保される。
【００２１】
［請求項３の発明］
請求項３の発明によれば、朝夕の如く、操作者から見た太陽が正面の極めて低い位置にあるときでも、操作者は太陽光の眩しさを感ずることなく十分に広い視界を確保することができる。
【００２２】
即ち、太陽光は平行光であるため、操作者の両目の中心間距離（図３、図４の符号ａ）よりも小さい寸法（図２、図３、図４の符号ｂ）を有する中央の高部の中心に太陽が位置するように操作者が姿勢を定めたときには、遮光率の低い中央の高部を通過した太陽光は操作者の顔面における両目よりも内側の寸法ｂに対応する目と目との間の部分のみを照射し、操作者の目を照射することはない。換言すれば、操作者の各目は遮光率の高い外側区画により保護される結果、操作者は太陽光の眩しさを感じないのである。即ち、図５に示すように、太陽はあたかも遮光率の高い外側区画内に隠れているかの如く操作者には見えるのである。
【００２３】
一方、図３に示すように、操作者の右目Ｄは遮光率の低い前記高部を通してｄ１〜ｄ２間の視界を確保し、操作者の左目Ｅは遮光率の低い前記高部を通してｅ１〜ｅ２間の視界を確保する。その結果、操作者は、その両目により、遮光率の低い前記高部を通してｄ２〜ｅ２間の広い視界を確保することになるのである。
【００２４】
［請求項４の発明］
操作者は、移動体と太陽との位置関係に応じて、板状体を上下方向ないし前後方向に位置調節することができる。また、板状体の下縁が常時の視線よりも若干高くなるように板状体の高さを設定しておくことにより、移動体の走行中に該移動体が日陰、トンネル等の暗部に入った時でも、裸眼状態の視界を確保することができる。更に、板状体の上方に遮光手段を設けたため、板状体を下方に下げたときでも、該板状体の上方から太陽光が侵入することが防止される。
【００２５】
［請求項５の発明］
後方からの光が遮光率の高い板状体に反射して操作者の目に入ることを防止するために、板状体を前後方向に傾動させることができる。また、板状体の上方に反射防止手段を配設したため、後方からの光が板状体に反射して上方に向かい、この光が更に上方で反射して操作者の目に入ることが防止される。
【発明を実施するための最良の形態】
【００２６】
符号１に示すものは略長方形状の板状体である。板状体１は移動体３における操作席５の近傍に取り付けられる。即ち、一例として移動体３が自動車である場合には、板状体１はフロントガラス（ウインドシールド）の内側上部に配設される。板状体１は既設のサンバイザーに取り付けてもよいが、既設のサンバイザーに代えて取り付けてもよい。
【００２７】
板状体１を中央が高く左右に向かって階段状に低くなるように内外に区画して内側区画９と外側区画１１とを形成する。符号１３は内側区画９と外側区画１１との境界である。該境界１３は最も高い中央から左右に向かって略直角且つ左右対称に階段状に折曲し、ピラミッドの輪郭線状をなす。即ち、外側区画１１には複数ないし多数の段部１５ａ、１５ｂ、１５ｃ、１５ｄが形成される。図２参照。各段部１５ａ、１５ｂ、１５ｃ、１５ｄの段差は１５ｍｍ以上とする。
【００２８】
外側区画１１は内側区画９よりも高い遮光率を有する。
【００２９】
図２に示す事例においては、内側区画９の上部９ａは内側区画９の下部９ｂよりも高い遮光率を有し、外側区画１１の上部１１ａは外側区画１１の下部１１ｂよりも高い遮光率を有する。
【００３０】
また、図２に示す事例においては、外側区画１１の上部１１ａは内側区画９の上部９ａよりも高い遮光率を有し、外側区画１１の下部１１ｂは内側区画９の下部９ｂよりも高い遮光率を有する。
【００３１】
図２に示す事例における各部は、一例として次のような遮光率を有する。
【００３２】
外側区画１１の上部１１ａ：遮光率９０％
遮光率９０％の部分を通して太陽を見ると、太陽は丸く月のように見え、眩しさは感じない。
【００３３】
外側区画１１の下部１１ｂ：遮光率８０％
遮光率８０％の部分を通して太陽を見ると、多少眩しさを感ずるものの、太陽を直視することができる。
【００３４】
内側区画９の上部９ａ：遮光率７０％
遮光率７０％の部分を通して太陽を見ると、かなりの眩しさを感ずる。
【００３５】
内側区画９の下部９ｂ：遮光率５０％
遮光率５０％の部分を通して太陽を見ると、眩しくて太陽を直視し難い。
【００３６】
板状体１に上記の如き遮光率を与えるために、例えば、板状体１を合成樹脂又はガラスにより形成し、該合成樹脂又はガラスの表面に遮光率の異なる遮光フィルムを固着し又は遮光率の異なる遮光層を形成する。
【００３７】
内側区画９の中央の高部７における左右方向の寸法ｂは操作者の両目ＤＥの中心間距離ａよりも小さいものとする。人の両目ＤＥの中心間距離ａは一般に８０ｍｍ程度であり、内側区画９の中央の高部７における左右方向の寸法ｂは両目ＤＥの中心間距離ａよりも約２０ｍｍ狭くする。即ち、内側区画９の中央の高部７における左右方向の寸法ｂは一例として約６０ｍｍとする。
【００３８】
板状体１は上下方向と前後方向とに位置調節自在である。
【００３９】
板状体１を上下方向に位置調節自在とするためには、一例として図１、図６、図７に示すように、板状体１の左右両側に一対の支持体１７、１７を上下方向に配設し、各支持体１７の対向面に上下方向の支持溝１９をそれぞれ形成し、両支持体１７、１７の支持溝１９、１９に板状体１の対応縁を摺嵌する。
【００４０】
板状体１を前後方向に位置調節自在とするためには、一例として図１、図６に示すように、板状体１の上方に支持板２１を前後方向に配設し、該支持板２１の左右両縁に一対の支持溝２３、２３を前後方向に備えさせ、該支持溝２３、２３に前記支持体１７、１７の上端１７ａ、１７ａを摺嵌する。
【００４１】
更に、板状体１の上方に遮光手段２５を設ける。遮光手段２５は、一例として、図１、図６に示すように、支持板２１と板状体１の上縁との間に蛇腹状又はロール状のスクリーンを配設する。
【００４２】
板状体１は、好ましくは、前後方向に傾動自在であり、該板状体１の上方に反射防止手段２７を配設する。反射防止手段２７としては、例えば、支持板２１の下面に黒色の塗料層を形成し又は黒色のフィルムを貼着する。
【００４３】
板状体１を前後方向に傾動自在となすために、一例として板状体１を支持する支持体１７、１７を支持板２１に前後方向に傾動自在に支持させる。即ち、例えば支持体１７、１７の上端１７ａ、１７ａを支持板２１の支持溝２３、２３に前後方向に傾動自在に摺嵌する。なお、符号２９に示すものは太陽である。
【図面の簡単な説明】
【００４４】
【図１】本発明によるサンバイザーの一例を示す斜視図である。
【図２】板状体の一例を示す正面図である。
【図３】板状体と操作者の目との関係を示す説明図である。
【図４】板状体と太陽と操作者の目との関係を示す説明図である。
【図５】図４において、太陽が外側区画の上部に隠れて見える状態を示す説明図である。
【図６】同上サンバイザーの側面図である。
【図７】同上サンバイザーの断面図である。
【符号の説明】
【００４５】
１    板状体
３    移動体
５    操作席
７    高部
９    内側区画
９ａ  上部
９ｂ  下部
１１  外側区画
１１ａ  上部
１１ｂ  下部
１３  境界
１５ａ  段部
１５ｂ  段部
１５ｃ  段部
１５ｄ  段部
１７  支持体
１７ａ  上端
１９  支持溝
２１  支持板
２３  支持溝
２５  遮光手段
２７  反射防止手段
２９  太陽
ａ    操作者の両目の中心間距離
ｂ    内側区画の中央の高部における左右方向の寸法
【図１】
2005096665.tif 000003
【図２】
2005096665.tif 000004
【図３】
2005096665.tif 000005
【図４】
2005096665.tif 000006
【図５】
2005096665.tif 000007
【図６】
2005096665.tif 000008
【図７】
2005096665.tif 000009